(57)【要約】【課題】レバーの強度低下と大型化を回避できるレバー式コネクタを提供する。【解決手段】相手側コネクタ５０のハウジング５１に嵌合・離脱されるハウジング２１と、このハウジング２１に回動及びスライド自在に支持されて両ハウジング２１，５１を嵌合・離脱させるレバー３０と、ハウジング２１の後面２２ｃ側装着される電線カバーとを備え、ハウジング２１に支持軸２４を設け、レバー３０に支持軸２４が摺動する軸摺動溝３４を有した軸受部３３を設け、レバー３０にカムフォロア３５を設け、相手側コネクタ５０にカムフォロア３５が係合するカム溝６３を設け、ハウジング２１にガイド突起２６を設け、レバー３０にガイド突起２６が係合するガイド溝３６を設け、レバー３０に係止部３９を設け、ハウジング２１の係止部３９に対応する位置に被仮係止部２７と被本係止部２８を設け、係止部３９を被仮係止部２７と被本係止部２８に係止・離脱自在にして兼用させた。【選択図】図２
2020027784.tif 000002
【特許請求の範囲】
【請求項１】
相手側コネクタのハウジングに嵌合・離脱されるハウジングと、
前記ハウジングに回動自在に支持され、回動動作によって前記両ハウジングを嵌合・離脱させるレバーと、
前記ハウジングの後面側を覆うように装着される電線カバーと、
を備え、
前記ハウジングと前記レバーのいずれか一方に支持軸を、他方に前記支持軸が摺動する軸摺動溝を有した軸受部を設け、
前記レバーと前記相手側コネクタのいずれか一方にカムフォロアを、他方に前記カムフォロアが係合するカム溝を設け、
前記レバーと前記ハウジングのいずれか一方に嵌合方向と垂直な方向に弾性変形する係止部を、他方の前記係止部に対応する位置に被仮係止部及び被本係止部を設け、
前記係止部を前記被仮係止部と前記被本係止部とにそれぞれ係止・離脱自在にして兼用させたことを特徴とするレバー式コネクタ。
【請求項２】
請求項１記載のレバー式コネクタであって、
前記レバーと前記ハウジング或いは前記電線カバーのいずれか一方にガイド突起を、他方に前記ガイド突起が係合するガイド溝を設け、
前記相手側コネクタのハウジングに前記係止部と前記被仮係止部との仮係止状態を解除する解除部を設けたことを特徴とするレバー式コネクタ。
【請求項３】
請求項１または２記載のレバー式コネクタであって、
前記レバーは、操作部と、前記操作部の両側から延びる一対のアーム部と、を備え、
前記一対のアーム部に前記被仮係止部と前記被本係止部に係止・離脱される前記係止部としての係止アームをそれぞれ設けたことを特徴とするレバー式コネクタ。
【発明の詳細な説明】
【技術分野】
【０００１】
本発明は、レバー式コネクタに関する。
【背景技術】
【０００２】
この種のレバー式コネクタとして、特許文献１に開示されたものがある。
【０００３】
このレバー式コネクタ１は、図１４（ａ）〜（ｃ）に示すように、両側面２ａにガイドピン３とカムピン４及び係止突起５を有した一方のハウジング２と、この一方のハウジング２が装着される図示しない他方のハウジングと、操作部６ａの両側から延設された一対のアーム部６ｂにガイドピン３に嵌合されるガイド溝７とカムピン４が係合されるカム溝８及び係止突起５が挿入される第１係止孔９ａと第２係止孔９ｂを有したレバー６と、を備えている。
【０００４】
そして、レバー６の回転により一方のハウジング２が他方のハウジングに装着され、図１４（ｂ）に示すように、レバー６の回転完了後にレバー６をスライド移動させ、図１４（ｃ）に示すように、レバー６のスライドが完了すると、一方のハウジング２の係止突起５にレバー６の第２係止孔９ｂが挿入されて、レバー６を所定の位置に保持できるようになっている。
【先行技術文献】
【特許文献】
【０００５】
【特許文献１】特開２００２−３４３１６９号公報
【発明の概要】
【発明が解決しようとする課題】
【０００６】
しかしながら、前記従来のレバー式コネクタ１では、レバー６の一対のアーム部６ｂに第１係止孔９ａと第２係止孔９ｂが間隔をあけて設けられており、また、長尺のカム溝７を設けるスペースが必要となり、レバー６が大型化する。さらに、アーム部６ｂに設けられた長尺のカム溝８の開口によりレバー６の強度が低下し、その強度を確保するためにレバ６が大型化する。
【０００７】
そこで、本発明は、前記した課題を解決すべくなされたものであり、レバーの強度低下及び大型化を回避することができるレバー式コネクタを提供することを目的とする。
【課題を解決するための手段】
【０００８】
本発明は、レバー式コネクタであって、相手側コネクタのハウジングに嵌合・離脱されるハウジングと、前記ハウジングに回動自在に支持され、回動動作によって前記両ハウジングを嵌合・離脱させるレバーと、前記ハウジングの後面側を覆うように装着される電線カバーと、を備え、前記ハウジングと前記レバーのいずれか一方に支持軸を、他方に前記支持軸が摺動する軸摺動溝を有した軸受部を設け、前記レバーと前記相手側コネクタのいずれか一方にカムフォロアを、他方に前記カムフォロアが係合するカム溝を設け、前記レバーと前記ハウジングのいずれか一方に嵌合方向と垂直な方向に弾性変形する係止部を、他方の前記係止部に対応する位置に被仮係止部及び被本係止部を設け、前記係止部を前記被仮係止部と前記被本係止部とにそれぞれ係止・離脱自在にして兼用させたことを特徴とする。
【発明の効果】
【０００９】
本発明によれば、係止部を被仮係止部と被本係止部とにそれぞれ係止・離脱自在にして兼用させたことにより、レバーの強度低下及びレバーの大型化を回避することができる。
【図面の簡単な説明】
【００１０】
【図１】本発明の一実施形態のレバー式コネクタの嵌合前の状態を示す斜視図である。
【図２】上記レバー式コネクタの分解斜視図である。
【図３】上記レバー式コネクタの雄ハウジングの斜視図である。
【図４】上記レバー式コネクタのレバーの斜視図である。
【図５】上記レバーの仮係止状態を示す側面図である。
【図６】図５中Ｙ−Ｙ線に沿う断面図である。
【図７】上記レバーの本係止状態を示す側面図である。
【図８】図７中Ｘ−Ｘ線に沿う断面図である。
【図９】（ａ）〜（ｅ）は上記レバー式コネクタを車体パネルに取り付ける手順を示す斜視図である。
【図１０】上記レバーがスライドする前の車体パネルの取付孔とレバーの位置関係を示す側面図である。
【図１１】上記レバーがスライドして車体パネルの取付孔に取り付けられる途中の状態を示す側面図である。
【図１２】（ａ）〜（ｃ）は上記レバー式コネクタの両ハウジングを離脱させる手順を示す側面図である。
【図１３】上記レバー式コネクタが車体パネルに取り付けられた状態を一部断面で示す側面図である。
【図１４】（ａ）は従来のレバー式コネクタのレバーが回転途中である状態を示す側面図、（ｂ）は同レバーが回転完了位置にある状態を示すが側面図、（ｃ）は同レバーがスライドして嵌合完了位置にある状態を示す側面図である。
【発明を実施するための形態】
【００１１】
以下、本発明の一実施形態を図面に基づいて説明する。
【００１２】
図１は本発明の一実施形態のレバー式コネクタの嵌合前の状態を示す斜視図、図２はレバー式コネクタの分解斜視図、図３はレバー式コネクタの雄ハウジングの斜視図、図４はレバー式コネクタのレバーの斜視図、図５はレバーの仮係止状態を示す側面図、図６は図５中Ｙ−Ｙ線に沿う断面図、図７はレバーの本係止状態を示す側面図、図８は図７中Ｘ−Ｘ線に沿う断面図、図９（ａ）〜図９（ｅ）はレバー式コネクタを車体パネルに取り付ける手順を示す斜視図、図１０はレバーがスライドする前の車体パネルの取付孔とレバーの位置関係を示す側面図、図１１はレバーがスライドして車体パネルの取付孔に取り付けられる途中の状態を示す側面図、図１２（ａ）〜図１２（ｃ）はレバー式コネクタの両ハウジングを離脱させる手順を示す側面図、図１３はレバー式コネクタが車体パネルに取り付けられた状態を一部断面で示す側面図である。
【００１３】
図１及び図１３に示すように、レバー式コネクタ１０は、車体パネル１１側の雄コネクタ２０と、ドア１２側の雌コネクタ（相手側コネクタ）５０とで構成されている。
【００１４】
図２に示すように、雄コネクタ２０は、複数の雄端子（端子）２９を収容し、雌コネクタ５０の雌ハウジング（相手側コネクタのハウジング）５１に嵌合・離脱される合成樹脂製の雄ハウジング（ハウジング）２１と、この雄ハウジング２１に支持軸２４を介して回動自在に支持されると共にスライド自在に支持され、回動動作によって雄雌両ハウジング２１，５１を嵌合・離脱させる合成樹脂製のレバー３０と、雄ハウジング２１の後面２２ｃ側を覆うように装着される合成樹脂製の電線カバー４０と、を備えている。
【００１５】
また、雌コネクタ５０は、複数の雌端子（端子）５９を収容し、雄コネクタ２０の雄ハウジング２１に嵌合・離脱される合成樹脂製の雌ハウジング５１と、この雌ハウジング５１の外周に嵌め込まれ、車体パネル１１の取付孔１１ａに係止される合成樹脂製で矩形枠筒状のフレーム６０と、このフレーム６０のフランジ部６２に装着されるゴム製のグロメット６５と、を備えている。
【００１６】
図２及び図３に示すように、雄ハウジング２１は、雄端子２９が収容される端子収容孔２２ｄを有した矩形ブロック状のハウジング本体２２と、このハウジング本体２２の前側に一体突出形成され、内部に雌ハウジング５１が嵌め込まれるフード部２３と、を有している。このハウジング本体２２の両側面２２ａ，２２ａの中央のフード部２３との境目には、嵌合方向に垂直な方向に延びる支持軸２４をそれぞれ一体突出形成してある。
【００１７】
また、ハウジング本体２２の一側面２２ａには開口部２２ｂを形成してある。この開口部２２ｂには、雄端子２９を係止するサイドリテーナ２５が嵌め込まれるようになっている。さらに、ハウジング本体２２の両側面２２ａ，２２ａの後面２２ｃ側で後述するレバー３０の操作部３１寄りの位置には、ガイド突起２６をそれぞれ一体突出形成してある。即ち、このガイド突起２６は、レバー３０の回動時において、図１２（ｃ）に示すように、支持軸２４側よりもレバー３０の操作部３１側に設けられている。また、各ガイド突起２６の頂部２６ａは、後述するレバー３０の摺動部３７及び当接部３８より垂直方向の内側にくるように設定してある。
【００１８】
さらに、フード部２３とハウジング本体２２の両側面２２ａ，２２ａの後述するレバー３０の係止アーム(係止部)３９の突起部３９ａの回動軌跡上に対応する位置には、仮係止凹部（被仮係止部）２７と本係止凹部（被本係止部）２８をそれぞれ形成してある。尚、ハウジング本体２２の両側面２２ａ，２２ａの各本係止凹部２８寄りの位置には、ハウジング本体２２の後面２２ｃ側を覆うように装着された電線カバー４０の係止突起４１に係止されてロックする枠状のロック部２２ｆを一体突出形成してある。
【００１９】
図１、図２、図４に示すように、レバー３０は、操作部３１と、この操作部３１の両側から延びる一対のアーム部３２，３２と、を備えている。
【００２０】
レバー３０の操作部３１の電線カバー４０側には、テーパ部３１ａを形成してある。そして、図１０に示すように、雄雌両ハウジング２１，５１を嵌合させた後で、車体パネル１１の取付孔１１ａに組み付ける際に、図１１に示すように、テーパ部３１ａが取付孔１１ａの端面に押されてレバー３０を正規位置までスライドさせるようにしてある。即ち、レバー３０のスライドの可否により雄雌両ハウジング２１，５１の車体パネル１１への組付可能状態が検知されるようにしてある。
【００２１】
図１、図２、図４に示すように、レバー３０のアーム部３２の中央には、支持軸２４が摺動する軸摺動溝３４を有した軸受孔（軸受部）３３を形成してある。また、アーム部３２には、ピン状のカムフォロア３５を一体突出形成してある。さらに、アーム部３２の操作部３１と軸受孔３３の間には、ガイド突起２６が係合する円弧状のガイド溝３６を形成してある。このガイド溝３６は、支持軸２４を中心とする細長い円弧状に形成してあり、その開放端側にはガイド突起２６を案内する拾いテーパ３６ａを形成してある。
【００２２】
また、図４に示すように、レバー３０のアーム部３２には、レバー３０の回動後にガイド突起２６がスライド方向に摺動する摺動部３７を設けてある。この摺動部３７は、内側が凹んだレール状に形成されている。さらに、アーム部３２には、レバー３０の回動後のスライド終端でガイド突起２６が当接する当接部３８を設けてある。そして、レバー３０の回動動作によって雄雌両ハウジング２１，５１が嵌合した後で、ガイド突起２６が摺動部３７に沿って当接部３８に当たるまで摺動することにより、レバー３０が雄ハウジング２１に対してスライドするようになっている。
【００２３】
さらに、レバー３０のアーム部３２の先端の外側には、嵌合方向と垂直な方向に弾性変形する係止アーム（係止部）３９を一体形成してあり、この係止アーム３９の突起部３９ａが仮係止凹部２７と本係止凹部２８に係止・離脱されるようになっている。即ち、係止アーム３９は、仮係止凹部２７と本係止凹部２８との係止・離脱に兼用されている。
【００２４】
図２に示すように、雌ハウジング５１は、雌端子５９が収容される端子収容室５２を有した矩形ブロック状に形成されており、その両側面５１ａ，５１ａの雄ハウジング２１の両側面２２ａ，２２ａの各仮係止凹部２７に対向する位置には、レバー３０の係止アーム３９の突起部３９ａと仮係止凹部２７との仮係止状態を解除する解除突起（解除部）５３をそれぞれ一体突出形成してある。
【００２５】
また、雌ハウジング５１の一側面５１ａには開口部５４を形成してある。この開口部５４には、雌端子５９を係止するサイドリテーナ５５が嵌め込まれるようになっている。
【００２６】
フレーム６０は、上面側が開口した四角筒状のフレーム本体６１と、このフレーム本体６１に一体形成された枠板状のフランジ部６２とを有している。
【００２７】
フレーム本体６１の両側壁６１ａ，６１ａには、レバー３０のカムフォロア３５が係合するカム溝６３をそれぞれ形成してある。また、フレーム本体６１の両側壁６１ａ，６１ａのフランジ部６２寄りの位置には、車体パネル１１の取付孔１１ａに係止される弾性変形可能なパネル係止アーム６４をそれぞれ一体形成してある。そして、このパネル係止アーム６４の突起部６４ａとフランジ部６２との間で車体パネル１１の取付孔１１ａの周縁部が係止されるようになっている。さらに、フランジ部６２には、グロメット６５の凹溝状の止水部６６が嵌め込まれるようになっている。
【００２８】
尚、図２及び図１３に示すように、雄端子２９には電線２９Ａが接続されていて、複数の電線２９Ａの束によりワイヤハーネスＷ／Ｈが構成されている。また、雌端子５９には電線５９Ａが接続されていて、複数の電線５９Ａの束によりワイヤハーネスＷ／Ｈが構成されている。
【００２９】
以上実施形態のレバー式コネクタ１０によれば、車体パネル１１の取付孔１１ａにレバー式コネクタ１０を組み付ける際に、まず、図９（ａ）の矢印Ａで示すように、ドアパネル１３の貫通孔１３ａにフレーム６０にグロメット６５を装着した雌コネクタ５０を貫通させる。また、図９（ｂ）の矢印Ｂで示すように、車体パネル１１の取付孔１１ａにはレバー３０が仮係止状態の雄コネクタ２０を貫通させる。このレバー３０が雄ハウジング２１に対して仮係止状態にある場合は、図５及び図６に示すように、レバー３０の係止アーム３９の突起部３９ａが雄ハウジング２１の仮係止凹部２７に仮係止されていて、レバー３０を雄雌両ハウジング２１，５１の嵌合方向へ回転できない。この状態より、雌ハウジング５１を雄ハウジング２１のフード部２３内に押し込んで行くと、雌ハウジング５１の解除突起５３がレバー３０の係止アーム３９を外側に弾性変形させることにより、雄ハウジング２１の仮係止凹部２７とレバー３０の係止アーム３９の突起部３９ａの仮係止状態が解除され、レバー３０を雄雌両ハウジング２１，５１の嵌合方向へ回転できるようになる。
【００３０】
次に、図９（ｃ）に示すように、雄コネクタ２０の雄ハウジング２１と雌コネクタ５０の雌ハウジング５１とを向き合わせ、レバー３０のカムフォロア３５を雌コネクタ５０のフレーム６０のカム溝６３に内側より挿入して係合させる。
【００３１】
そして、図９（ｄ）の矢印Ｃで示すように、レバー３０を回転させ、雄コネクタ２０の雄ハウジング２１と雌コネクタ５０の雌ハウジング５１の嵌合を完了させる。
【００３２】
その際、雄ハウジング２１の支持軸２４にレバー３０の軸受孔３３が摺接した状態で、雄ハウジング２１のガイド突起２６にレバー３０の円弧状のガイド溝３６が沿って移動することによりレバー３０が回転する。このレバー３０の回転が終了すると、雄ハウジング２１のガイド突起２６がレバー３０の円弧状のガイド溝３６の開放端の拾いテーパ３６ａから外れることで、レバー３０が雄ハウジング２１に対してスライド可能な状態となる。
【００３３】
その後、図９（ｄ）の矢印Ｄで示すように、レバー３０の操作部３１を押し込むことで、レバー３０を雄ハウジング２１のガイド突起２６に沿わせてスライドさせ、図７及び図８に示すように、レバー３０の係止アーム３９の突起部３９ａを雄ハウジング２１の本係止凹部２８に係止させる。このレバー３０のスライド時に、雄ハウジング２１の支持軸２４にレバー３０の軸摺動溝３４側が摺接する。
【００３４】
レバー３０を雄ハウジング２１のガイド突起２６に沿わせてスライドさせる際に、図１２（ｂ）に示すように、雄ハウジング２１のガイド突起２６がレバー３０の操作部３１のテーパ部３１ａ側の近傍（付近）に設けられているため、レバー３０の軸摺動溝３４と円弧状のガイド溝３６に対して傾く方向へスライドさせた際に傾き抑制効果が得られ、雄ハウジング２１の支持軸２４及びレバー３０の破損を確実に防止することができる。また、ガイド突起２６を操作部３１側の近傍に設け、レバー３０の回転用とスライド用として兼用（共用）しているため、テコ比抑制によるコネクタ全体の小型化及び軽量化を図ることができる。さらに、ガイド突起２６の頂部２６ａをレバー３０の摺動部３７及び当接部３８より垂直方向の内側にくるように設定して、アーム部３２から外側へ突出しないため、後述するレバー３０による車体組付け時のガイド突起２６の破損も確実に防止することができる。
【００３５】
そして、図９（ｅ）の矢印Ｅで示すように、レバー３０の操作部３１による操作を完了した雌コネクタ５０を車体パネル１１の取付孔１１ａに押し込み、雌コネクタ５０のフレーム６０に設けたパネル係止アーム６４の突起部６４ａを車体パネル１１の取付孔１１ａの周縁部に係止させ、グロメット６５の止水部６６を車体パネル１１に押し付けた状態を保持し、車体パネル１１の取付孔１１ａからの水の浸入を防止する。
【００３６】
図１０及び図１１に示すように、嵌合が完全の嵌合済みの雄雌両ハウジング２１，５１を車体パネル１１に押し込んで取付孔１１ａに組み付ける際に、レバー３０が雄ハウジング２１の正規位置（雄ハウジング２１のガイド突起２６にレバー３０のアーム部３２の当接部３８が当たる位置）までスライドしていない場合（僅かにレバー３０のスライド移動量が不足している場合も含む）は、レバー３０の操作部３１のテーパ部３１ａが取付孔１１ａの縁端面に押されてレバー３０が正規位置まで強制的にスライド移動する。よって、図９（ｅ）及び図１１に示すように、レバー３０を雄ハウジング２１の正規位置までスライド移動させることで、嵌合が完全の嵌合済みの雄雌両ハウジング２１，５１のみを車体パネル１１に簡単かつ確実に組み付けることができ、正規位置までスライド移動していない場合は、車体パネル１１への組み付けができないことで異常を検知することができる。このように、レバー３０のスライド移動の可否、即ち、車体パネル１１のレバー３０の位置検出により、レバー式コネクタ１０の車体パネル１１の取付孔１１ａへの組付可能状態を簡単かつ確実に検知することができる。
【００３７】
図１２（ａ）〜（ｂ）に示すように、嵌合している雄コネクタ２０の雄ハウジング２１と雌コネクタ５０の雌ハウジング５１を離脱させる場合は、図１２（ａ）に示すように、雄雌両ハウジング２１，５１の離脱前のレバー３０のスライド前状態から、図１２（ｂ）で矢印Ｆに示すように、レバー３０をスライドできる位置まで移動させることで、雄ハウジング２１のガイド突起２６をレバー３０の円弧状のガイド溝３６の開放端の拾いテーパ３６ａから収容することができ、その後で、図１２（ｃ）で矢印Ｇに示すように、レバー３０を雄ハウジング２１に対してスムーズに回転させることができ、雄雌両ハウジング２１，５１を離脱できる。この雄雌両ハウジング２１，５１の離脱際にも前述した嵌合の際のレバー３０の回転とスライド時と同様に、雄ハウジング２１の支持軸２４とガイド突起２６及びレバー３０の破損を確実に防止することができる。
【００３８】
このように、雄コネクタ２０の雄ハウジング２１と雌コネクタ５０の雌ハウジング５１を嵌合・離脱させる際に、レバー３０の係止アーム３９を雄ハウジング２１の仮係止凹部２７と本係止凹部２８とにそれぞれ係止・離脱させて兼用し、レバー３０側に仮係止と本係止それぞれ専用の係止アームを必要としないため、係止アーム３９をレバー３０の一対のアーム部３２，３２に従来のように複数箇所設けることによるレバー３０の強度低下、及び、レバー３０の大型化を回避することができる。よって、コネクタ全体が大型化せずに、より極数（端子数）が多いレバー式コネクタ１０の嵌合力の低減が可能となる。
【００３９】
尚、前記実施形態によれば、雄ハウジングに支持軸を設け、レバーに支持軸が摺動する軸摺動溝を有した軸受部を設けたが、レバーに支持軸を設け、雄ハウジングに支持軸が摺動する軸摺動溝を有した軸受部を設けても良い。
【００４０】
また、前記実施形態によれば、レバーにカムフォロアを設け、雌コネクタのフレームにカムフォロアが係合するカム溝を設けたが、雌コネクタのフレーム或いは雌ハウジングにカムフォロアを設け、レバーにカムフォロアが係合するカム溝を設けても良い。
【００４１】
さらに、前記実施形態によれば、雄ハウジングにガイド突起を設け、レバーにガイド突起が係合するガイド溝を設けたが、レバーにガイド突起を設け、雄ハウジング或いは電線カバーにガイド突起が係合するガイド溝を設けても良い。
【００４２】
さらに、前記実施形態によれば、雌コネクタを雌ハウジングと車体パネルに取り付けられるフランジ部及びパネル係止アームを有したフレームで構成し、フレームにカム溝を形成したが、雌コネクタを車体パネルに取り付けられるフランジ部及びパネル係止アームを有した雌ハウジングで構成し、雌ハウジングにカム溝を形成するようにしても良い。
【００４３】
また、前記実施形態によれば、レバーはスライド自在に支持されるが、スライドしなくても良い。
【００４４】
さらに、前記実施形態によれば、レバーとハウジング或いは電線カバーのいずれか一方にガイド突起を、他方にガイド突起が係合するガイド溝を設けているが、ガイド突起及びガイド溝を設けなくても良い。
【００４５】
さらに、前記実施形態によれば、相手側コネクタのハウジングに係止部と被仮係止部との仮係止状態を解除する解除部を設けているが、解除部を設けず、係止部と被係止部のいずれかにテーパを設け、セミロック機能を設けても良い。
【符号の説明】
【００４６】
１０  レバー式コネクタ
２１  雄ハウジング（ハウジング）
２２ｃ  後面
２４  支持軸
２６  ガイド突起
２７  仮係止凹部（被仮係止部）
２８  本係止凹部（被本係止部）
３０  レバー
３１  操作部
３２，３２  一対のアーム部
３３  軸受孔（軸受部）
３４  軸摺動溝
３５  カムフォロア
３６  ガイド溝
３９  係止アーム（係止部）
４０  電線カバー
５０  雌コネクタ（相手側コネクタ）
５１  雌ハウジング（相手側コネクタのハウジング）
５３  解除突起（解除部）
６３  カム溝
【図１】
2020027784.tif 000003
【図２】
2020027784.tif 000004
【図３】
2020027784.tif 000005
【図４】
2020027784.tif 000006
【図５】
2020027784.tif 000007
【図６】
2020027784.tif 000008
【図７】
2020027784.tif 000009
【図８】
2020027784.tif 000010
【図９】
2020027784.tif 000011
【図１０】
2020027784.tif 000012
【図１１】
2020027784.tif 000013
【図１２】
2020027784.tif 000014
【図１３】
2020027784.tif 000015
【図１４】
2020027784.tif 000016